(57)【特許請求の範囲】
【請求項１】
一側がターボファンと結合され、内側にガス及び空気が流れるように所定の空間が形成されるハウジング５００と、
前記ハウジング５００の一側に形成され、前記ターボファンと接する排出部３００と、
前記排出部３００の他側に備えられて外側から空気を吸気し、第１の隔壁２０１によって区画される第１の空気供給部２１０及び第２の空気供給部２２０と、
前記第１の空気供給部２１０及び第２の空気供給部２２０から流入される空気と混合して前記排出部３００へ排出され、第２の隔壁２０２によって区画される第１のガス供給部２３０及び第２のガス供給部２４０、及び
低出力モード時、前記第２の空気供給部２２０及び第２のガス供給部２４０を閉鎖してガス及び空気の流れを遮断する一方、高出力モード時には第２の空気供給部２２０及び第２のガス供給部２４０にガス及び空気が流れるように開放する開閉手段４００とを、含み、
前記開閉手段４００は、回動することによって前記第２の空気供給部２２０及び前記第２のガス供給部２４０を同時に開放または閉鎖する板状のバルブ体４０１を備えており、
前記第２のガス供給部２４０はその先端部が突出し、所定の角度に傾いて第２のガスの流動方向と空気の流動方向を一致させてガスと空気が円滑に混合できるようにすると共に、前記開閉手段４００の行程距離を最小限にするための傾斜部２４１が形成される
ことを特徴とする燃焼機器用ガス‐空気混合装置。
【請求項２】
前記開閉手段４００は、
前記バルブ体４０１を回動させるための手段であって、前記バルブ体４０１の表面とヒンジ４０４によって結合されるプランジャ４０２と、
前記プランジャ４０２と結合され、前記プランジャ４０２の上下動を電気的信号によって制御して前記バルブ体４０１が開閉されるようにするソレノイドバルブ４０３とを、
含むことを特徴とする、請求項１に記載の燃焼機器用ガス‐空気混合装置。
【請求項３】
一側がターボファンと結合され、内側にガス及び空気が流れるように所定の空間が形成されるハウジング５００と、
前記ハウジング５００の一側に形成され、前記ターボファンと接する排出部３００と、
前記排出部３００の他側に備えられて外側から空気を吸気し、第１の隔壁２０１によって区画される第１の空気供給部２１０及び第２の空気供給部２２０と、
前記第１の空気供給部２１０及び第２の空気供給部２２０から流入される空気と混合して前記排出部３００へ排出され、第２の隔壁２０２によって区画される第１のガス供給部２３０及び第２のガス供給部２４０、及び
低出力モード時、前記第２の空気供給部２２０及び第２のガス供給部２４０を閉鎖してガス及び空気の流れを遮断する一方、高出力モード時には第２の空気供給部２２０及び第２のガス供給部２４０にガス及び空気が流れるように開放する開閉手段４００とを、含み、
前記開閉手段４００は、回動することによって前記第２の空気供給部２２０及び前記第２のガス供給部２４０を同時に開放または閉鎖する板状のバルブ体４０１と、
前記バルブ体４０１を回動させるための手段であって、前記バルブ体４０１の表面とヒンジ４０４によって結合されるプランジャ４０２と、
前記プランジャ４０２と結合され、前記プランジャ４０２の上下動を電気的信号によって制御して前記バルブ体４０１が開閉されるようにするソレノイドバルブ４０３とを、有しており、
前記バルブ体４０１は上昇する際、ハウジング５００の上部の内側面と接して支持されるように支持部４１０が突出形成されることを特徴とする燃焼機器用ガス‐空気混合装置。
【請求項４】
前記第２のガス供給部２４０はその先端部が突出し、所定の角度に傾いて第２のガスの流動方向と空気の流動方向を一致させてガスと空気が円滑に混合できるようにすると共に、前記開閉手段４００の行程距離を最小限にするための傾斜部２４１が形成されることを特徴とする、請求項３に記載の燃焼機器用ガス‐空気混合装置。
【発明の詳細な説明】
【技術分野】
【０００１】
本発明は、燃焼機器用ガス‐空気混合装置に関し、より詳しくはボイラーまたは給湯器のような燃焼機器に備えられるバーナーに、ガス及び空気を供給する量を効果的に制御してターンダウン比（Ｔｕｒｎ−Ｄｏｗｎ Ｒａｔｉｏ）を向上させ、それによって温水及び暖房の使用の便利さ及びバーナーの耐久性を増大させる燃焼機器用ガス‐空気混合装置に関する。
【背景技術】
【０００２】
一般に暖房及び温水の使用を目的として用いられるボイラー及び給湯器のような燃焼機器は、供給される燃料によってオイルボイラー、ガスボイラー、電気ボイラー、及び給湯器とに分かれ、設置用途に合わせて多様に開発され、使用されている。
【０００３】
このような燃焼機器のうち、特にガスボイラー及び給湯器においては一般にガス燃料を燃焼させるため、ブンゼンバーナー（Ｂｕｎｓｅｎ  Ｂｕｒｎｅｒ）または予混合バーナー（Ｐｒｅｍｉｘｅｄ  ｂｕｒｎｅｒ）を用いており、このうち、予混合バーナー（Ｐｒｅｍｉｘｅｄ  ｂｕｒｎｅｒ）の燃焼方式はガスと空気を予め最適な燃焼状態の混合比に混合させた後、その混合気（空気＋ガス）を炎孔部に供給して燃焼させることになる。
【０００４】
また、燃焼機器の性能はターンダウン比（Ｔｕｒｎ−Ｄｏｗｎ  Ｒａｔｉｏ;ＴＤＲ）で評価されるが、ターンダウン比（ＴＤＲ）とはガスの量が可変調節できるガス燃焼装置においての「最大ガス消費量対最小ガス消費量の比」を言う。たとえば、最大ガス消費量が２４，０００ｋｃａｌ／ｈで、最小ガス消費量が８，０００ｋｃａｌ／ｈの場合、ターンダウン比（ＴＤＲ）は３：１になる。ターンダウン比（ＴＤＲ）は最小ガス消費量の条件において如何に安定した火炎を保持できるかによって制限される。
【０００５】
ガスボイラー及び給湯器の場合、ターンダウン比（ＴＤＲ）が大きいほど暖房及び温水の使用時の便利さが増大する。すなわち、ターンダウン比（ＴＤＲ）が小さく（すなわち、最小ガス消費量が多い場合）、暖房及び温水の負荷が小さい領域でバーナーが作動する場合には燃焼機器のオン／オフ（Ｏｎ／Ｏｆｆ）が頻繁に発生するので、温度制御時の偏差が大きくなり、機器の耐久性が低下する。したがって、このような問題を改善するために、燃焼機器に適用されるバーナーのターンダウン比（ＴＤＲ）を向上させるための様々な方法が開発されてきた。
【０００６】
このような比例制御方式のバーナーにおいてガスを供給するバルブは、電流値で制御される電流比例制御方式バルブ（ｅｌｅｃｔｒｉｃａｌ  ｍｏｄｕｌａｔｉｎｇ  ｇａｓ  ｖａｌｖｅ）と空気供給時に発生する差圧で制御される空気比例制御方式バルブ（ｐｎｅｕｍａｔｉｃ  ｍｏｄｕｌａｔｉｎｇ  ｇａｓ  ｖａｌｖｅ）とに大別される。
【０００７】
前記空気比例制御方式バルブは、送風機を用いてバーナーの燃焼時に必要な空気供給によって発生する差圧によりバーナーへ供給されるガス量が制御され、この際、燃焼に必要な空気とガスはガス‐空気混合装置（Ｇａｓ−ａｉｒ  ｍｉｘｅｒ）で混合され、混合気（空気＋ガス）の形態でバーナーに供給されることになる。
【０００８】
このような空気比例制御バルブを用いるガスバーナーのガス−空気混合装置において、ターンダウン比（ＴＤＲ）を制限する基本的要素は、ガス消費量（Ｑ）と差圧（ΔＰ）との関係にあり、一般に流体の差圧と流量との関係は以下のようである。
【０００９】
【数１】
0005948440.tif 000002
【００１０】
すなわち、上記の関係式で分かるように、流体の流量を２倍増加させるためには差圧を４倍に上昇させなければならない。
【００１１】
よって、ターンダウン比（ＴＤＲ）を３：１にするためには差圧の比を９：１に、ターンダウン比（ＴＤＲ）を１０：１にするためには差圧の比を１００：１にしなければならないが、この際、ガスの供給圧力を無限に増加させるのは不可能であることに問題がある。
【００１２】
このようなガス供給圧力を無限に増加させられない問題を解決するために、図１に示したように空気及びガスが供給される経路をそれぞれ２つ以上の領域に区画し、バーナーへ噴射される各ガスの通路を開閉することによって、ガスバーナーのターンダウン比（ＴＤＲ）を高める方法が開示されている。
【先行技術文献】
【特許文献】
【００１３】
【特許文献１】韓国特許出願第１０−２０１１−００８４４１７号
【００１４】
前記特許文献は、本出願人による先願発明であって、図１を参照すれば、空気供給管１１３の一側に２つに分岐されるガス供給管１１２が結合され、前記空気供給管１１３の内側に別途の分岐器具１７０を備えてロッド１６３に結合されたバルブ体１６１、１６２が電磁石１６５と結合されたロッド１６３の上下動を通じてガス流路１１６及び空気流路１１８を開閉するので、ボイラーを低出力モード及び高出力モードに制御できてターンダウン比を向上させることができる流路分離型ガス-空気混合装置が開示されている。
【００１５】
しかしながら、前記の空気流路１１８においてロッド１６３の上下動の範囲が大きく、そのため行程距離が長くなることから駆動時間及び駆動距離が長くなるという問題点がある。
【００１６】
また、空気流路１１８に別途の分岐器具１７０を介して使用するので、製作の煩雑さ及び機器故障時において脱着が困難であるという問題がある。
【発明の概要】
【発明が解決しようとする課題】
【００１７】
本発明は上述した問題点を解決するために発明されたものであって、ボイラーまたは給湯器のような燃焼機器に流入される空気及びガスの量を制御できる開閉手段の行程距離を相対的に短くしながらも、これによって空気及びガスの量を制御してターンダウン比（ＴＤＲ）を高める燃焼機器用ガス‐空気混合装置を提供することにその目的がある。
【課題を解決するための手段】
【００１８】
上記の技術的課題を達成するための本発明は、一側がターボファンと結合され、内側にガス及び空気が流れるように所定の空間が形成されるハウジングと、前記ハウジングの一側に形成され、前記ターボファンと接する排出部と、前記排出部の他側に備えられて外側から空気を吸気し、第１の隔壁によって区画される第１の空気供給部及び第２の空気供給部と、前記第１の空気供給部及び第２の空気供給部から流入される空気と混合して前記排出部へ排出され、第２の隔壁によって区画される第１のガス供給部及び第２のガス供給部、及び低出力モード時、前記第２の空気供給部及び第２のガス供給部を閉鎖してガス及び空気の流れを遮断する一方、高出力モード時には第２の空気供給部及び第２のガス供給部にガス及び空気が流れるように開放する開閉手段とを含み、前記開閉手段は回動することによって前記第２の空気供給部及び前記第２のガス供給部を同時に開放または閉鎖する板状のバルブ体を含む。
【００１９】
一実施例において、前記開閉手段は、前記バルブ体を回動させるための手段であって、前記バルブ体の表面とヒンジによって結合されるプランジャと、前記プランジャと結合され、前記プランジャの上下動を電気的信号によって制御して前記バルブ体が開閉されるようにするソレノイドバルブとを含む。
【００２０】
一実施例において、前記バルブ体は、上昇する際、ハウジングの上部の内側面と接して支持されるように支持部が突出形成されることを特徴とする。
【００２１】
一実施例において、前記第２のガス供給部は、その先端部が突出し、所定の角度に傾いて第２のガスの流動方向と空気の流動方向を一致させてガスと空気が円滑に混合できるようにすると共に、前記開閉手段の行程距離を最小限にするための傾斜部が形成されることを特徴とする。
【発明の効果】
【００２２】
本発明の燃焼機器用ガス‐空気混合装置によれば、第一に、ＴＤＲを高めることで燃焼機器で必要とするガスと空気の量が既存の方式に比べてより大幅に調節することが可能であり、これによって流量の変動時により微細に熱量制御が可能となって温水の温度変化幅を減らすことができる効果がある。
【００２３】
第二に、駆動部の構造が簡素であり、耐久性の優れるソレノイドバルブを適用して、前記ソレノイドバルブと結合されるバルブ体（ダンパー状）と接する部分を所定の角度に傾斜するように突出形成することによって、ソレノイドバルブの行程距離を減らすと共に、ソレノイドバルブの故障率を最小化できる効果がある。
【図面の簡単な説明】
【００２４】
【図１】従来技術を示すための図である。
【図２】本発明の燃焼機器用ガス‐空気混合装置を示す概略的断面図である。
【図３】図２の作動状態を示す断面図である。
【図４】図２のバルブ体を示す斜視図である。
【発明を実施するための形態】
【００２５】
本発明の理解を助けるために、本発明の好ましい実施例を添付の図面を参照して説明する。本発明の実施例は様々な形態に変形することができ、本発明の範囲は以下で詳細に説明する実施例に限定されるものとして解釈してはならない。本実施例は当業界において平均的知識を有する者に本発明をより完全に説明するために提供するものである。よって、より明確な説明をするために図面における要素の形状などは部分的に拡大して表現されることもあり得る。各図面において、同じ部材は同じ参照符号を用いて図示したことに留意しなければならない。また、本発明の要旨の理解を不必要に紛らしかねない公知の機能及び構成に対しては詳細な記述を省略する。
【００２６】
以下、添付の図面を参照して本発明の好ましい実施例を説明することで、本発明の燃焼機器用ガス‐空気混合装置について詳細に説明する。
【００２７】
図２は本発明の燃焼機器用ガス‐空気混合装置を示す概略的断面図で、図３は図２の作動状態を示す断面図であり、図４は図２のバルブ体を示す斜視図である。
【００２８】
図２及び図４を参照すれば、本発明の燃焼機器用ガス‐空気混合装置は、一側がターボファンと結合され、内側にガス及び空気が流れるように所定の空間が形成されるハウジング５００が備えられ、前記ハウジング５００の一側には空気とガスが混合した混合ガスが排出される排出部３００が形成される。前記排出部３００はターボファン（図示せず）と接して前記第１及び第２の空気供給部２１０、２２０及び第１及び第２のガス供給部２３０、２４０から供給される空気とガスが混合された混合ガスが前記ターボファンによってバーナーへ伝達される。
【００２９】
前記排出部３００の他側は空気が吸気され、第１の隔壁２０１によって区画されて下部に第１の空気供給部２１０が、その上部に第２空気供給部２２０が円筒状に形成される。
【００３０】
前記第２空気供給部２２０と排出部３００の中間部の下部にはガスが供給され、第２隔壁２０２によって区画されて右側は第１のガス供給部２３０が、その左側には第２のガス供給部２４０が円筒状に形成される。前記第２のガス供給部２４０はその先端部が突出し、所定の角度に傾いて第２のガスが空気の流動方向と一致させて円滑に混合されるようにすると共に、前記開閉手段の行程距離を最小化するための傾斜部２４１が形成される。前記傾斜部２４１には第２ガスが吐出される吐出口が形成され、前記傾斜部２４１の傾斜面は排出部３００を向くように形成される。
【００３１】
前記傾斜部２４１には第２のガス及び第２の空気の流入を遮断または開放するために、前記傾斜部２４１に、後述の開閉手段４００を構成するバルブ体４０１が接するようになる。
【００３２】
以下、前記第２の空気供給部２２０及び第２のガス供給部２４０の空気及びガスの流入を制御する開閉手段４００について説明する。
【００３３】
前記開閉手段４００は、第２のガス供給部２４０の上段の傾斜部と接して空気及びガスの流入を遮断する板状のバルブ体４０１と、前記バルブ体４０１の表面とヒンジ４０４によって結合されるプランジャ４０２及び前記プランジャ４０２と結合され、前記プランジャー４０２を上下動させて前記バルブ体４０１が開閉されるようにするソレノイドバルブとで構成される。具体的には前記ソレノイドバルブ４０３に伝達される電気的信号によってプランジャー４０２が上昇するようになり、電気的信号を遮断すると内側に備えられるスプリング４０６の弾性力によって前記プランジャー４０２は下降するようになる。
【００３４】
一方、前記バルブ体４０１は、上昇する際、ハウジング５００の上部の内側面と接して支持されるように支持部４１０が突出形成される。
【００３５】
上記のように構成される本発明の燃焼機器用ガス‐空気混合装置の作動状態について説明する。
【００３６】
図２に示すように、低出力モード時には前記開閉手段４００のバルブ体４０１が前記第２のガス供給部２４０と接した状態となって、前記第１の空気供給部２１０及び第１のガス供給部２３０だけで、第１のガス及び空気だけが混合されてターボファンに流入される。ここで前記第１のガスは前記第１のガス供給部２３０の途中に形成される通穴２３１を通って排出される。
【００３７】
その後、高出力モード時には図３に示すように、前記ソレノイドバルブ４０３に電気が供給されると前記プランジャー４０２が作動して第２のスプリング４０６の力に抗して上部へ上昇するようになる。それによって前記バルブ体４０１がヒンジ４０４によって上部へ回動され第２の空気供給部２２０及び第２のガス供給部２４０が開放されるので、第２の空気及びガスがハウジング５００の内部へ流入される。
【００３８】
再び低出力モードに切替えようとする場合、図２に示すように、前記ソレノイドバルブ４０３に電気を遮断するとスプリングの弾性力によって下降するようになる。それによって、前記バルブ体４０１がヒンジ４０４によって下部へ回動され第２の空気供給部２２０及び第２のガス供給部２４０を閉鎖するので、第２の空気及びガスが遮断される。
【００３９】
ここで前記バルブ体４０１の一端部には前記支持部４１０が突出形成され、前記プランジャー４０２が上昇する際、前記ハウジング５００の内側面に支持されてバルブ体４０１が円滑に上昇するようになる。
【００４０】
以上で説明した本発明の燃焼機器用ガス‐空気混合装置の実施例は例示のものに過ぎず、本発明が属する技術分野の通常の知識を有する者であれば、より多様な変形及び均等な他の実施例が可能であることが分かる。そのため、本発明は上述の詳細な説明で言及される形態のみに限定されるものではないことが分かる。したがって、本発明の真正なの技術的保護範囲は添付の特許請求範囲の技術的思想によって定められなければならない。また、本発明は添付の請求範囲によって定義される本発明の精神とその範囲内に含まれるあらゆる変形物と均等物、及び代替物を含むものとして理解されるべきである。
【符号の説明】
【００４１】
２０１  第１の隔壁
２０２  第２の隔壁
２１０  第１の空気供給部
２２０  第２の空気供給部
２３０  第１のガス供給部
２４０  第２のガス供給部
３００  排出部
４００  開閉手段
４０１  バルブ体
４０２  プレンジャー
４０３  ソレノイドバルブ
４０４  ヒンジ
４０６  スプリング
４１０  支持部
【図１】
0005948440.tif 000003
【図２】
0005948440.tif 000004
【図３】
0005948440.tif 000005
【図４】
0005948440.tif 000006